(57)【要約】【課題】本発明に係る出隅部用光ケーブル配線具は配線すべき出隅部における光ケーブルの曲率を適正に確保しつつ曲げ配線し、同時に該曲げ配線部における光ケーブルの保護を適切に図る。【解決手段】出隅部２の稜線４を境に出隅部一側面５と同他側面６に沿って曲成され各側面に添設される左曲げ光ケーブルガイド部７と右曲げ光ケーブルガイド部８とを有し、該両光ケーブルガイド部７，８は上記出隅部一側面５と他側面６の外方へ膨出し且つ上記出隅部２の稜線４を経由して延びるアーチ形光ケーブル規制部１４を有し、該規制部１４の外側膨出面１５にてアーチ形配線路１６を画成し、上記両光ケーブルガイド部７，８の各端面の光ケーブル導出入口２５から上記アーチ形配線路１６を通し導出入される光ケーブル３の内曲面を上記アーチ形光ケーブル規制部１４の外側膨出面１５にて所定の曲率に規制する構成とした出隅部用光ケーブル配線具。【選択図】　　　　図６
2004118168.tif 000002
【特許請求の範囲】
【請求項１】
配線すべき出隅部の稜線を境に出隅部一側面と同他側面に沿って曲成され各側面に添設される左曲げ光ケーブルガイド部と右曲げ光ケーブルガイド部とを有し、該左曲げ光ケーブルガイド部と右曲げ光ケーブルガイド部とは上記出隅部一側面と他側面の外方へ膨出し且つ上記出隅部の稜線を経由して延びるアーチ形光ケーブル規制部を有し、該アーチ形光ケーブル規制部の外側膨出面にてアーチ形配線路を画成し、上記左曲げ光ケーブルガイド部と右曲げ光ケーブルガイド部の各端面の光ケーブル導出入口から上記アーチ形配線路を通し導出入される光ケーブルの内曲面を上記アーチ形光ケーブル規制部の外側膨出面にて所定の曲率に規制する構成としたことを特徴とする出隅部用光ケーブル配線具。
【請求項２】
上記左曲げ光ケーブルガイド部と右曲げ光ケーブルガイド部とは上記アーチ形ケーブル規制部の両端において光ケーブルを係止するケーブル押えを有することを特徴とする請求項１記載の出隅部用光ケーブル配線具。
【請求項３】
上記左曲げ光ケーブルガイド部の端部を上記出隅部の一側面と略平行に突出して上記アーチ形配線路の一端、即ちアーチ形光ケーブル規制部の一端に短直配線路端を形成すると共に、右曲げ光ケーブルガイド部の端部を上記出隅部の他側面と略平行に突出して上記アーチ形配線路の他端、即ちアーチ形光ケーブル規制部の他端に短直配線路端を形成し、該各短直配線路端の端面に上記光ケーブル導出入口を開口せしめたことを特徴とする請求項１記載の出隅部用光ケーブル配線具。
【発明の詳細な説明】
【０００１】
【発明の属する技術分野】
本発明は光ケーブルを建物内の出隅部に沿って曲げ配線する場合に使用する出隅部用光ケーブル配線具に関する。
【０００２】
【従来の技術】
光ケーブルに関しては昨年度よりＮＴＴのインターネット向け超高速光アクセスサービスとして一般住宅向け屋内配線施工が開始されるに至っている。
【０００３】
光ケーブルを壁面に沿って屋内配線する場合、その直線配線部においては従来の電線ケーブル用の直線形の配線保護ダクトの転用が可能であるが、光ケーブルの出隅部の如き曲げ配線においては光伝送損失を防止するため曲率半径３０ｍｍ以上にせねばならない制限が存在し、従来はこの制限に対応すべく特許文献１に示す如き専用のステップルを用いて光ケーブルを出隅部の一側面と他側面に止着し、ステップル間において光ケーブルの自己弾力により上記曲率を保持するように曲げ配線している。
【０００４】
又は光ケーブルを出隅部において可撓チューブに挿入し、光ケーブルの自己弾力により同ケーブル及び可撓チューブを一定の曲率に変形させつつ光ケーブルを保護し、可撓チューブ両端を直線形の配線保護ダクトに連結する方法が採られている。
【０００５】
【特許文献１】
特開平１１−２３１１８７号公報
【０００６】
【発明が解決しようとする課題】
然しながら上記方法は何れも光ケーブルの自己弾力により出隅部の曲げ配線の曲率を得ているため、適正な曲率出しが困難であり、信頼性に欠ける。
【０００７】
又光ケーブルが出隅部の稜線から外方へ不必要に突出したり、要求される曲率よりも小さな曲率で曲げ配線する懸念を有しており、更には光ケーブルの出隅部における保護が充分に達成し難い問題点を有している。
【０００８】
【課題を解決するための手段】
本発明は上記出隅部における光ケーブルの曲率を適正に確保しつつ、その保護が適切に図れる出隅部用光ケーブル配線具を提供するものである。
【０００９】
この出隅部用光ケーブル配線具は、配線すべき出隅部の稜線を境に出隅部一側面と同他側面に沿って曲成され各側面に添設される左曲げ光ケーブルガイド部と右曲げ光ケーブルガイド部とを有する。
【００１０】
そして上記左曲げ光ケーブルガイド部と右曲げ光ケーブルガイド部とによって上記出隅部一側面と他側面の外方へ膨出し且つ上記出隅部の稜線を経由して延びるアーチ形光ケーブル規制部を形成し、該アーチ形光ケーブル規制部の外側膨出面にてアーチ形配線路を画成する。
【００１１】
光ケーブルは上記左曲げ光ケーブルガイド部と右曲げ光ケーブルガイド部の各端面の光ケーブル導出入口から上記アーチ形配線路を通し導出入され、この光ケーブルの内曲面を上記アーチ形光ケーブル規制部の外側膨出面にて所定の曲率に規制し、出隅部の光ケーブルの曲げ配線における所定の曲率を確保し、且つ光ケーブルを保護する。
【００１２】
又上記左曲げ光ケーブルガイド部と右曲げ光ケーブルガイド部とは上記アーチ形ケーブル規制部の両端において光ケーブルを係止するケーブル押えを設け、出隅部用光ケーブル配線具をベースとカバーの嵌合構造により形成した場合における、カバー嵌合前の光ケーブルの飛び出しを防止し、且つ両ケーブル押え間における自己弾力による曲げを許容する。
【００１３】
又上記左曲げ光ケーブルガイド部の端部を上記出隅部の一側面と略平行に突出して上記アーチ形配線路の一端、即ちアーチ形光ケーブル規制部の一端に短直配線路端を形成すると共に、右曲げ光ケーブルガイド部の端部を上記出隅部の他側面と略平行に突出して上記アーチ形配線路の他端、即ちアーチ形光ケーブル規制部の他端に短直配線路端を形成し、該各短直配線路端の端面に上記光ケーブル導出入口を開口せしめ、上記各短直配線路端によって上記アーチ形光ケーブル規制部の両端における直線出しを適正にし、直線形配線保護ダクトへの連絡を適正に行えるようにする。
【００１４】
【発明の実施の形態】
以下本発明に係る出隅部用光ケーブル配線具１の実施形態を図１乃至図８に基づいて説明する。
【００１５】
前記の通り本発明は配線すべき出隅部２における光ケーブル３の曲率を適正に確保しつつ、その保護が適切に図れる出隅部用光ケーブル配線具１を提供するものである。
【００１６】
図１乃至図８に示す出隅部用光ケーブル配線具１は、その軸線が出隅部２の出隅角に同調して曲成された曲成ベース１Ａと同曲成カバー１Ｂとから成り、この曲成ベース１Ａに曲成カバー１Ｂを嵌脱自在に嵌合して以下に述べる出隅部用光ケーブル配線具１を構成する。
【００１７】
上記曲成ベース１Ａは上記配線すべき出隅部２の稜線４を境に出隅部一側面５と同他側面６に沿って曲成され各側面５，６に添設される左曲げ光ケーブルガイド部７と右曲げ光ケーブルガイド部８とを有する。
【００１８】
同様に上記曲成カバー１Ｂは上記配線すべき出隅部２の稜線４を境に出隅部一側面５と同他側面６に沿って曲成された左曲げ光ケーブルガイド部７と右曲げ光ケーブルガイド部８とを有し、両者１Ａ，１Ｂの嵌合によって閉鎖された左曲げ光ケーブルガイド部７と右曲げ光ケーブルガイド部８とを形成する。
【００１９】
上記曲成ベース１Ａは配線すべき出隅部２の稜線４を境に出隅部一側面５と同他側面６に沿って曲成された左曲げ底壁９と右曲げ底壁１０を備え、更に配線すべき出隅部２の稜線４を境に出隅部一側面５と同他側面６に沿って曲成され、且つ左曲げ底壁９と右曲げ底壁１０の左右側縁から立ち上げられた左曲げ側壁１１と右曲げ側壁１１を備える。
【００２０】
曲成ベース１Ａは上記出隅部２の稜線４を境に上記出隅部２の一側面５に添設される、上記左曲げ底壁９の底面により形成された左曲げ据付面１２と、出隅部２の他側面６に添設される上記右曲げ底壁１０の底面により形成された右曲げ据付面１３を有しており、左曲げ据付面１２と右曲げ据付面１３とは出隅部２の稜線４において連設され、全体として略直角形の据付面を形成している。
【００２１】
上記曲成ベース１Ａの底壁９，１０には左曲げ光ケーブルガイド部７と右曲げ光ケーブルガイド部８とによって上記出隅部一側面５と他側面６の外方へ膨出し且つ上記出隅部２の稜線４を経由して延びるアーチ形光ケーブル規制部１４を形成し、該アーチ形光ケーブル規制部１４の外側膨出面１５にてアーチ形配線路１６を画成する。
【００２２】
同様に曲成カバー１Ｂは上記出隅部２の稜線４を境に上記出隅部２の一側面５に沿い曲成された左曲げ頂壁１７と右曲げ頂壁１８を有し、更に配線すべき出隅部２の稜線４を境に出隅部一側面５と同他側面６に沿って曲成され、且つ上記左曲げ頂壁１７と右曲げ頂壁１８の左右側縁から立ち下げられた左曲げ側壁１９と右曲げ側壁１９を備える。上記左曲げ頂壁１７と右曲げ頂壁１８にて出隅部２の一側面５から外方へ膨出すると共に同他側面６から外方へ膨出し、稜線４と対向する部位において互いに連設されたアーチ形光ケーブル規制部１４を形成する。
【００２３】
更に上記曲成カバー１Ｂの左曲げ側壁１９と右曲げ側壁１９の下端内側面から内方へ向け係合爪２０を対向して突設し、左曲げ側壁１９と右曲げ側壁１９を上記曲成ベース１Ａの左曲げ側壁１１と右曲げ側壁１１の外側面に夫々添接しつつ、上記各係合爪２０を曲成ベース１Ａの側壁１１の基端、即ち底壁９，１０の両側縁に形成された段部２１に弾力的に係止し、よって曲成ベース１Ａに曲成カバー１Ｂを嵌脱自在に嵌合する。
【００２４】
上記嵌合によって曲成ベース１Ａのアーチ形光ケーブル規制部１４と、曲成カバー１Ｂのアーチ形光ケーブル規制部１４とを対向せしめ、両者１４，１４と側壁１１，１１とによって閉鎖された上記アーチ形配線路１６を画成する。
【００２５】
上記曲成ベース１Ａの底壁９，１０によって形成されたアーチ形光ケーブル規制部１４は、左曲げ光ケーブルガイド部７の左曲げ底壁９から出隅部２の一側面５外方へ膨出された左曲げ膨出部２２と、同他側面６外方へ膨出された右曲げ膨出部２３を有し、該左曲げ膨出部２２と右曲げ膨出部２３とを出隅部２の稜線４と対向する部位において互いに連設し、上記アーチ形光ケーブル規制部１４を形成している。
【００２６】
同様に上記曲成カバー１Ｂの頂壁１７，１８によって形成されたアーチ形光ケーブル規制部１４は、左曲げ光ケーブルガイド部７を形成する頂壁１７により出隅部２の一側面５外方へ膨出された左曲げ膨出部２２を形成し、右曲げ光ケーブルガイド部８を形成する頂壁１８により出隅部２の他側面６外方へ膨出された右曲げ膨出部２３を形成し、該左曲げ膨出部２２と右曲げ膨出部２３とを出隅部２の稜線４と対向する部位において互いに連設し、上記アーチ形光ケーブル規制部１４を形成している。
【００２７】
上記の通り曲成ベース１Ａに曲成カバー１Ｂを嵌合することによって、上記曲成ベース１Ａのアーチ形光ケーブル規制部１４の外側膨出面１５と、上記曲成カバー１Ｂのアーチ形光ケーブル規制部１４の内側膨出面２４とが協働して閉鎖されたアーチ形配線路１６を構成する。
【００２８】
即ち曲成ベース１Ａに曲成カバー１Ｂを嵌合することによって、上記曲成ベース１Ａのアーチ形光ケーブル規制部１４を形成する左曲げ膨出部２２と右曲げ膨出部２３の各外側膨出面１５、並びに上記曲成カバー１Ｂのアーチ形光ケーブル規制部１４を形成する左曲げ膨出部２２と右曲げ膨出部２３の各内側膨出面２４とが協働して閉鎖されたアーチ形配線路１６を構成する。即ちアーチ形配線路１６は出隅部２の稜線４を境に曲成された右曲げ配線路と左曲げ配線路を有する。
【００２９】
光ケーブル３は上記左曲げ光ケーブルガイド部７と右曲げ光ケーブルガイド部８の各端面に開口せしめた光ケーブル導出入口２５から上記アーチ形配線路１６を通し導出入され、この光ケーブル３を上記曲成ベース１Ａのアーチ形光ケーブル規制部１４の外側膨出面１５にて所定の曲率に規制しつつ、曲成カバー１Ｂのアーチ形光ケーブル規制部１４の内側膨出面２４にて所定の曲率に規制し、出隅部２の光ケーブル３の曲げ配線における所定の曲率を確保し、且つ光ケーブル３を保護する。
【００３０】
又曲成ベース１Ａの上記左曲げ光ケーブルガイド部７の端部と右曲げ光ケーブルガイド部８の端部には上記アーチ形ケーブル規制部１４の両端において光ケーブル３を係止するケーブル押え２６を設け、出隅部用光ケーブル配線具１を曲成ベース１Ａと曲成カバー１Ｂの嵌合構造により形成した場合における、カバー嵌合前の光ケーブル３の飛び出しを防止し、且つ両ケーブル押え２６間における自己弾力による曲げを許容する。
【００３１】
上記ケーブル押え２６は曲成ベース１Ａの側壁９，１０の内側面から互いに対向して突設し、両ケーブル押え２６，２６間に光ケーブル挿入間隔２７を形成し、横長の光ケーブル３を縦にして光ケーブル挿入間隔２７に差し入れ、差し入れ後横にして配線路１６内へ挿入する。よってケーブル押え２６により光ケーブル３の飛び出しを防止し、曲成カバー１Ｂを曲成ベース１Ａに嵌合する。
【００３２】
又上記曲成ベース１Ａの左曲げ光ケーブルガイド部７の端部を上記出隅部２の一側面５と略平行に突出して上記アーチ形配線路１６の一端、即ちアーチ形光ケーブル規制部１４の一端に短直配線路端２８を形成すると共に、右曲げ光ケーブルガイド部８の端部を上記出隅部２の他側面６と略平行に突出して上記アーチ形配線路１６の他端、即ちアーチ形光ケーブル規制部１４の他端に短直配線路端２８を形成し、該各短直配線路端２８の端面に上記光ケーブル導出入口２５を開口せしめ、上記各短直配線路端２８によって上記アーチ形光ケーブル規制部１４の両端における直線出しを適正にし、直線形配線保護ダクト２９への連絡を適正に行えるようにする。
【００３３】
同様に上記曲成カバー１Ｂの左曲げ光ケーブルガイド部７の端部を上記出隅部２の一側面５と略平行に突出して上記アーチ形配線路１６の一端、即ちアーチ形光ケーブル規制部１４の一端に短直配線路端２８を形成すると共に、右曲げ光ケーブルガイド部８の端部を上記出隅部２の他側面６と略平行に突出して上記アーチ形配線路１６の他端、即ちアーチ形光ケーブル規制部１４の他端に短直配線路端２８を形成し、該各短直配線路端２８の端面に上記光ケーブル導出入口２５を開口せしめ、上記各短直配線路端２８によって上記アーチ形光ケーブル規制部１４の両端における直線出しを適正にし、直線形配線保護ダクト２９への連絡を適正に行えるようにする。
【００３４】
上記配線具１を形成する曲成ベース１Ａの左曲げ光ケーブルガイド部７の端部と、同右曲げ光ケーブルガイド部８の端部には直線形配線保護ダクト２９の底板３１を規制する舌片３０を設ける。即ち両端の各短直配線路端２８の端部から突出する舌片３０を設け、該舌片３０の下面に上記直線形配線保護ダクト２９の底板３１を差し入れ相対位置を確保する。
【００３５】
又上記曲成カバー１Ｂの上記短直配線路端２８は曲成ベース１Ａの短直配線路端２８を覆いつつ、該曲成ベース１Ａの短直配線路端２８から突出し、該突出部、即ち曲成カバー１Ｂの短直配線路端２８の突出部内へ上記直線形配線保護ダクト２９の端部を挿入して曲成ベース１Ａの短直配線路端２８の端面に突き当て間隙生成を防止する。
【００３６】
【発明の効果】
本発明に係る出隅部用光ケーブル配線具は配線すべき出隅部における光ケーブルの曲率を適正に確保しつつ曲げ配線し、同時に該曲げ配線部における光ケーブルの保護が適切に図れる。
【図面の簡単な説明】
【図１】Ａは出隅部用光ケーブル配線具の曲成ベースと曲成カバーを分解して示す斜視図、Ｂは曲成ベースのケーブル押え間に光ケーブルを挿入する状態を拡大して示す正面図。
【図２】上記曲成ベースに曲成カバーを嵌合して形成した出隅部用光ケーブル配線具の側面図。
【図３】図２における出隅部用光ケーブル配線具のＡ−Ａ矢視図。
【図４】図３における出隅部用光ケーブル配線具のＢ−Ｂ線断面図。
【図５】図４における出隅部用光ケーブル配線具のＣ−Ｃ線断面図。
【図６】上記出隅部用光ケーブル配線具の使用状態を曲成カバー嵌合前の状態を以って示す断面図。
【図７】同曲成カバー嵌合後の状態を以って示す断面図。
【図８】上記出隅部用光ケーブル配線具における短直配線路端と直線形配線保護ダクトの嵌合部の拡大図。
【符号の説明】
１…配線具、１Ａ…曲成ベース、１Ｂ…曲成カバー、２…出隅部、３…光ケーブル、４…出隅部の稜線、５…出隅部の一側面、６…出隅部の他側面、７…左曲げ光ケーブルガイド部、８…右曲げ光ケーブルガイド部、９…左曲げ底壁、１０…右曲げ底壁、１１…左曲げ側壁、右曲げ側壁、１２…左曲げ据付面、１３…右曲げ据付面、１４…アーチ形光ケーブル規制部、１５…外側膨出面、１６…アーチ形配線路、１７…左曲げ頂壁、１８…右曲げ頂壁、１９…左曲げ側壁、右曲げ側壁、２０…係合爪、２１…段部、２２…左曲げ膨出部、２３…右曲げ膨出部、２４…内側膨出面、２５…光ケーブル導出入口、２６…ケーブル押え、２７…光ケーブル挿入間隔、２８…短直配線路端、２９…直線形保護配線ダクト、３０…舌片、３１…直線形配線保護ダクトの底板
【図１】
2004118168.tif 000003
【図２】
2004118168.tif 000004
【図３】
2004118168.tif 000005
【図４】
2004118168.tif 000006
【図５】
2004118168.tif 000007
【図６】
2004118168.tif 000008
【図７】
2004118168.tif 000009
【図８】
2004118168.tif 000010